(57)【要約】【課題】長もの野菜等を取り出す際には簡単かつ確実に開封して取り出すことができるとともに、高い強度を有して長もの野菜等を確実に保護できる長もの野菜等袋を提供する。【解決手段】一方向Ｌについての長さが異なる第１及び第２のフィルム１８、２０を重ね合わせて該方向の一端側における長さが長いほうの第１フィルム１８の端部を谷折りして折り返し端部２４を第２フィルム２０に重畳させ、その状態で離隔対向の２位置において該一方向に沿って平行直線状に溶断閉着することにより形成される細長袋体１２と、細長袋体１２の谷折り折り返し端部２４と第２フィルム２０との重畳端部に形成される下部開口１４と、該一方向の他端側の細長袋体１２に形成される上部開口１６と、を含み、谷折り折り返しにより形成される第１フィルム１８と第２フィルム２０との重畳部２６が縦長長方形状である長もの野菜等袋１０から構成される。【選択図】図１
0003191508.tif 000002
【実用新案登録請求の範囲】
【請求項１】
一方向についての長さが異なる第１及び第２のフィルムを重ね合わせて該方向の一端側における長さが長いほうの第１フィルムの端部を谷折りして折り返し端部を第２フィルムに重畳させ、その状態で離隔対向の２位置において該一方向に沿って平行直線状に溶断閉着することにより形成される細長袋体と、
細長袋体の谷折り折り返し端部と第２フィルムとの重畳端部に形成される下部開口と、
該一方向の他端側の細長袋体に形成される上部開口と、を含み、
谷折り折り返しにより形成される第１フィルムと第２フィルムとの重畳部が正方形状又は幅サイズを短辺の１つとする縦長長方形状であることを特徴とする長もの野菜等袋。
【請求項２】
細長袋体の上部開口はいずれかのフィルムが他のフィルムより長い延長部を有したポケット状開口として形成されており、
該延長部において、その中間位置に幅横断方向に形成されたミシン目部と、
ミシン目部と延長部の延長端との間において設けられ複数枚を重ねた状態で互いに熱溶着して束ねて保持させるための保持と上部開口の開放保持のための係止とを兼用する貫通孔と、が設けられたことを特徴とする請求項１記載の長もの野菜等袋。
【請求項３】
谷折り折り返しによる第１フィルムどうしの重なり部分又は、第１フィルムと第２フィルムとの重畳部を貫通した通気孔が設けられたことを特徴とする請求項１又は２記載の長もの野菜等袋。
【考案の詳細な説明】
【技術分野】
【０００１】
本考案は、ごぼうやねぎ等の長もの野菜等の包装に適した長もの野菜等袋に関する。
【背景技術】
【０００２】
スーパーやデパート等の店頭で陳列、販売される野菜は、該野菜の形状や大きさ等に応じて様々な態様で包装されている。例えば、ごぼうやねぎ等のように一方向に長い野菜いわゆる長もの野菜等を包装する手段としては、ポリエチレン等の合成樹脂フィルムを素材とし、細長い中空筒状で一端を開口し三方をシールした細長い包装袋が公知である。そして、細長の包装袋内に開口から長もの野菜等を収容し、その袋口部分のフィルムを折り曲げてテープや接着剤等で貼り付けたり、袋口部分紐やテープで縛ったり、熱溶着等でシールして袋口に封をした状態で出荷又は店頭等に陳列されていた。また、例えば、特許文献１には、ビニール資材を筒状に形成し、底部の一面を折り畳んで折り畳み部分全体をシールすることにより、底部の強度向上を図るビニール製袋が提案されている。
【先行技術文献】
【特許文献】
【０００３】
【特許文献１】実公昭３５−１９５８７号公報
【考案の概要】
【考案が解決しようとする課題】
【０００４】
上記したような従来の包装袋を開封して長もの野菜等を取り出す際には、例えば、上端の袋口側のテープや接着部分を剥がしたり、袋口部分を鋏や包丁等の道具を使って切り開いてその上端側から野菜等を取り出していた。しかしながら、このような開封操作及び取り出し操作では、テープや接着部分を剥がしにくかったり、テープ等の粘着部分が野菜に着いて野菜を傷つけたりスムーズに取り出しにくかったり、薄い透明フィルムで形成されているため開封場所を見つけにくかったり、又はわざわざ道具を用意する必要があったりする等、煩わしい操作となり、長もの野菜等の場合は特に、その野菜自体及び包装袋の長さがともに長いことからスムーズには取り出しにくいといった問題があった。さらに、長もの野菜等を袋内に収容する作業も煩雑で時間がかかるものであった。その上、従来の包装袋は薄いフィルムで長く形成されているので、取り扱いが煩雑になり保管、管理にも不便であった。
【０００５】
本考案は、上記従来の課題に鑑みてなされたものであり、その一つの目的は、長もの野菜等を取り出す際には簡単かつ確実に開封して取り出すことができるとともに、高い強度を有して長もの野菜等を確実に保護できる長もの野菜等袋を提供することにある。また、他の目的は、袋の保管、管理及び長もの野菜等の袋への収容作業等を簡単に行える長もの野菜等袋を提供することにある。
【課題を解決するための手段】
【０００６】
上記課題を解決するために本考案は、一方向Ｌについての長さが異なる第１及び第２のフィルム１８、２０を重ね合わせて該方向の一端側における長さが長いほうの第１フィルム１８の端部を谷折りして折り返し端部２４を第２フィルム２０に重畳させ、その状態で離隔対向の２位置において該一方向に沿って平行直線状に溶断閉着することにより形成される細長袋体１２と、細長袋体１２の谷折り折り返し端部２４と第２フィルム２０との重畳端部に形成される下部開口１４と、該一方向の他端側の細長袋体１２に形成される上部開口１６と、を含み、谷折り折り返しにより形成される第１フィルム１８と第２フィルム２０との重畳部２６が正方形状又は幅サイズを短辺の１つとする縦長長方形状であることを特徴とする長もの野菜等袋１０から構成される。
【０００７】
細長袋体１２の上部開口１６はいずれかのフィルム２０（１８）が他のフィルム１８（２０）より長い延長部４０を有したポケット状開口３８として形成されており、該延長部４０において、その中間位置に幅横断方向に形成されたミシン目部４２と、ミシン目部４２と延長部４０の延長端との間において設けられ複数枚を重ねた状態で互いに熱溶着して束ねて保持させるための保持と上部開口１６の開放保持のための係止とを兼用する貫通孔４４と、が設けられたこととしてもよい。
【０００８】
また、谷折り折り返しによる第１フィルム１８どうしの重なり部分又は、第１フィルム１８と第２フィルム２０との重畳部２６を貫通した通気孔４６が設けられたこととしてもよい。基本的には通気孔は、細長袋体１２の任意の位置に複数個設けてもよいが、下部側の第１フィルムどうしの重なり部分又は重畳部２６に設けることで、通気性を良好に確保できる。
【考案の効果】
【０００９】
本考案の長もの野菜等袋によれば、一方向についての長さが異なる第１及び第２のフィルムを重ね合わせて該方向の一端側における長さが長いほうの第１フィルムの端部を谷折りして折り返し端部を第２フィルムに重畳させ、その状態で離隔対向の２位置において該一方向に沿って平行直線状に溶断閉着することにより形成される細長袋体と、細長袋体の谷折り折り返し端部と第２フィルムとの重畳端部に形成される下部開口と、該一方向の他端側の細長袋体に形成される上部開口と、を含み、谷折り折り返しにより形成される第１フィルムと第２フィルムとの重畳部が正方形状又は幅サイズを短辺の１つとする縦長長方形状である構成により、下部開口から第１フィルムの折り返し部分を引き破って袋の下部側を開放させて簡単に長もの野菜等を取り出すことができるとともに、開封前の状態では底部及び該重畳部において高い強度を保持でき、出荷から店頭での陳列、消費者の購入時まで安定して包装状態を維持できる。よって、袋の下部側について簡単に開封できる構造と袋の強度が高い構造とを同時に実現でき、実用性が高い長もの野菜等袋を低コストで製造できる。また、第１フィルムの折り返し部と第２フィルムとの重なり部分の面積がある程度広いので、下部開口が形成されていても袋内部にゴミや異物等が入るのを防止できる。さらに、重畳部の下部開口近傍に開放位置を目立たせる表示等を施せるスペースを十分に確保することができ、スムーズな開放操作を促すことができる。さらに、予め第１フィルムと第２フィルムをそれぞれ別々に印刷することができるので、折り返して裏面側となる折り返し端部に開放位置を示す表示等を印刷する際に簡単に精度良く行えるうえ、長もの野菜等袋の表裏両面の所望の位置に自在に印刷することもできる。
【００１０】
細長袋体の上部開口はいずれかのフィルムが他のフィルムより長い延長部を有したポケット状開口として形成されており、該延長部において、その中間位置に幅横断方向に形成されたミシン目部と、ミシン目部と延長部の延長端との間において設けられ複数枚を重ねた状態で互いに熱溶着して束ねて保持させるための保持と上部開口の開放保持のための係止とを兼用する貫通孔と、が設けられた構成とすることにより、薄くて細長く形成される長もの野菜等袋を束ねて保持させておくことで保管、管理を簡便に行えるとともに、上部開口から袋内へ長もの野菜等を投入する作業の際には係止させた状態で上部開口を開放保持させるので簡単に投入作業を行える。
【００１１】
また、谷折り折り返しによる第１フィルムどうしの重なり部分又は、第１フィルムと第２フィルムとの重畳部を貫通した通気孔が設けられた構成とすることにより、通気孔を介して袋内外を通気させて、例えば袋内で長もの野菜等から発生するガスや水蒸気等を排出し該野菜の鮮度及び品質を長期間保持でき、袋の曇りを防止したりできる。
【図面の簡単な説明】
【００１２】
【図１】本考案の第１の実施形態に係る長もの野菜等袋の全体図である。
【図２】図１の長もの野菜等袋の一部を省略した拡大説明図である。
【図３】図２のＡ−Ａ線断面図である。
【図４】図２のＢ−Ｂ線断面図である。
【図５】図１の長もの野菜等袋の細長袋体を形成する際の基本的な概念図である。
【図６】図１の長もの野菜等袋を重ね合わせて束ねた状態の説明図である。
【図７】図１の長もの野菜等袋に長もの野菜等を投入する際の作用説明図である。
【図８】図１の長もの野菜等袋を開封する際の作用説明図である。
【図９】他の形態の長もの野菜等袋の一部を省略した拡大図である。
【考案を実施するための形態】
【００１３】
以下、添付図面を参照しつつ本考案の長もの野菜等袋の実施の形態について説明する。本考案の長もの野菜等袋は、例えば、ごぼう、ねぎ等の長もの野菜等を内部に収容して包装し、店頭に陳列したり輸送したりする際に該長もの野菜等を保護するための包装用袋である。図１ないし図８は、本考案に係る長もの野菜等袋の一実施形態を示している。図１、図２、図３に示すように、長もの野菜等袋１０は、細長袋体１２と、細長袋体１２の下部に形成される下部開口１４と、細長袋体１２の上部側に形成される上部開口１６と、を含む。
【００１４】
細長袋体１２は、例えば、ポリエチレン、ポリプロピレン等の透明で薄い合成樹脂フィルム素材から形成された一方に長い袋本体である。図１、図３に示すように、細長袋体１２は、所定の横幅で一方向（上下方向）Ｌに細長い第１フィルム１８と、第１フィルム１８と同じ横幅で第１フィルムよりも短い長さで一方向Ｌに細長い第２フィルム２０と、を有している。第１フィルム１８の下部は第２フィルム２０よりも延長された部分で略Ｕ字状に谷折りして折り返し部２２が形成され、その折り返し片２８の折り返し端部２４が第２フィルム２０の下端部にある程度の縦方向長さで重畳されて重畳部２６が形成されている。折り返し部２２を含む第１フィルム１８と第２フィルム２０の左右両側辺が閉着されて接合３０され、第１、第２フィルムの対向内面側を収容部として袋体が構成されている。詳細には、細長袋体１２は、第１フィルム１８と第２フィルム２０とが一方向の略全体にわたって両側辺のみで閉着されて接合３０されている。さらに、細長袋体１２の下部の折り返し部２２においては、第２フィルム２０の下端辺３６よりも下方に長い第１フィルム部分で折り返し片２８により重なり合う第１フィルムどうしが両側辺のみで閉着されて接合され谷折り底部３４（細長袋体の下端辺）とともに３方をシールしている。重畳部２６では、図４にも示すように、第１フィルムの折り返し片２８と第２フィルム２０とその裏面側の第１フィルム１８との３層が重合しそれらの両側辺のみを閉着させて接合３０されている。
【００１５】
図５では細長袋体１２を形成する工程の一例を模式的に示しており、図５にも示すように、本実施形態では、細長袋体１２は、一方向Ｌについての長さが異なる第１及び第２のフィルム１８Ｓ、２０Ｓを重ね合わせて該方向Ｌの一端側における長さが長い方の第１フィルムの端部１８Ｅを谷折りして折り返し端部を第２フィルム２０に重畳させ、その状態で離隔対向の２位置ＦＣにおいて該一方向に沿って平行直線状に溶断閉着することにより形成される。なお、第１、第２フィルムの該一方向Ｌの他端側では、第２フィルム２０が第１フィルム１８より長く延長されて重ね合わされており、細長袋体には後述の延長部４０が形成される。第１、第２フィルムは、例えば、それぞれロール巻きされ、そのロール巻きされたフィルムから引き出しながら重ね合わせるようにしてもよい。図２、図３に示すように、細長袋体１２の底部は、折り返し部２２で形成されているので強度が高く、被包装物であるごぼう等の長もの野菜Ｖｇを投入して先端が谷折り底部に接触しても、該底部が破れて抜け落ちたりするのを防止できる。本実施形態では、細長袋体１２は、例えば、一方向Ｌ（上下方向又は長手方向）のサイズが略６０ｃｍ程度、幅方向Ｗのサイズ（短辺方向の長さ）が約７ｃｍ程度に形成されている。また、細長袋体１２は、透明のフィルムで形成されているので、内部の長もの野菜等を袋外部から容易に確認することができる。なお、細長袋体１２の長さ、幅、フィルム素材等は長もの野菜Ｖｇの種類や形状、大きさ、本数、鮮度保持方法等に応じて任意に設定できる。
【００１６】
図２、図３に示すように、細長袋体１２の下部には、第１フィルムの谷折り折り返し端部２４と第２フィルム２０との重畳端部に下部開口１４が形成される。下部開口１４は、細長袋体１２の底部となる谷折り底部３４から上方向にある程度離隔した位置に形成される。上記のように第１フィルムの折り返し片２８は、第１フィルム１８及び第２フィルム２０に両側辺のみを接合されているので、折り返し端部２４を含む対向内面の略全体は第１、第２フィルムともに非接合となっている。したがって、下部開口１４は、折り返し部２２で重なり合っている袋内部と連通している。下部開口１４は、袋体内部に連通しているので内外の通気をある程度行わせることができる。第１フィルム１８の折り返し片２８は、袋を開封する際の開封片であり、後述のように下部開口１４を介して折り返し端部２４から引き破ることにより、細長袋体１２の下側を開放させることができる。すなわち、細長袋体１２は、長手方向の一端部に下部開口１４による易開封構造３２を含み、袋体内部に収容している長もの野菜Ｖｇを該袋体の下部側から簡単に取り出すことができる。
【００１７】
本実施形態では、図１、図２に示すように、谷折り折り返しにより形成される第１フィルム１８と第２フィルム２０との重畳部２６は、細長袋体１２の幅方向Ｗのサイズを短辺の１つとする縦長長方形状となるように形成されている。すなわち第１フィルムの折り返し片２８と第２フィルム２０との左右両側辺での接合長さが細長袋体１２の幅サイズ以上の長さとなるように重畳部２６が設定される。重畳部２６の縦長長方形状の縦横サイズは、例えば、横方向の短辺が約７ｃｍ、縦方向の長辺が約９ｃｍ程度となっている。該重畳部２６を細長袋体１２の長手方向に沿った縦長長形状とすることにより、折り返し端部２４と第２フィルム２０との接合部分において下部開口１４により容易に開封させうる構成としながら、開封する前の通常時にはその重畳部２６の両側辺の接合長さをある程度長くしていることで袋体の強度を高く確保することができる。重畳部２６の折り返し片２８の外面には、印刷等により下部開口の位置を示す表示２７が施されており、開放位置を目立たせてスムーズに開封操作を行わせることができる。
【００１８】
図２、図３に示すように、折り返し部２２とは逆の端部である細長袋体１２の一方向の他端側に上部開口１６が形成される。上部開口１６は、長もの野菜Ｖｇを袋体内部へ投入するための投入開口である。本実施形態では、上部開口１６は、第２フィルム２０の上端が第１フィルム１８の上端より長い延長部４０を有したポケット状開口３８として構成されている。すなわち第２フィルム２０の上端に延長部４０が形成されている。なお、延長部は、逆に第１フィルム１８の上端を第２フィルム２０の上端より長く延長して第１フィルムの上端に形成することとしてもよい。また、延長部４０は、例えば、上部開口１６を閉鎖するように折り曲げてテープや接着剤等で貼り付けて袋体の上部側の封をするのに利用することもできる。なお、細長袋体の上部開口１６の封の方法は、細長袋体の上端部をテープや紐で縛ったりしてもよく、その他使用者の任意の方法で上部開口を閉じてもよい。
【００１９】
図２、図７に示すように、延長部４０において、その中間位置に幅横断方向に形成されたミシン目部４２と、ミシン目部４２と該延長部の延長端との間に設けられた貫通孔４４と、が設けられている。本実施形態では、例えば、延長部４０の縦方向長さは約７ｃｍ程度に設定されており、ミシン目部４２は延長部４０の上端から約４ｃｍ程度の位置に設けられている。延長部４０に貫通孔４４をも設けることで、例えば、図６に示すように、複数枚（例えば１００枚程度）の細長袋体を重ねて、貫通孔４４を介して図示しないはんだごて等で延長部どうしを熱溶着することにより、複数枚の細長袋体を束ねることができる。さらに、例えば図７（ａ）に示すように、貫通孔４４により延長部４０をフックＦｋ等に引っ掛けて係止でき、図示しない送風ファン等から上部開口１６に向けて送られる送風により上部開口１６を自動的に開放させその開放状態で保持させることができる。上部開口１６が開放状態で保持されるので長もの野菜等を簡単に投入することができる。すなわち、貫通孔４４は、細長袋体１２の延長部４０どうしを複数枚を重ねた状態で互いに熱溶着して束ねて保持させるための保持と、上部開口１６の開放保持のための係止と、を兼用する孔である。図７（ｂ）に示すように、延長部４０は、細長袋体内に長もの野菜Ｖｇを収容すると、その長もの野菜Ｖｇの重量によって（又は必要に応じて作業者等の手によって）ミシン目部４２で分断される。ミシン目部４２から分断された後には、細長袋体１２の上部に延長部の残部４０ｒが残され、この延長残部４０ｒを上部開口１６の封に利用することもできる。図７では説明のために、１つの長もの野菜等袋１０をフックＦｋ等に係止させた図で説明している。なお、延長部のミシン目部４２、貫通孔４４は、例えば、細長袋体を形成したあとで形成してもよいし、第１、第２フィルムを重ね合わせて所定の２位置を平行直線状に溶断閉着する前の工程で形成してもよい。また、延長部の大きさやミシン目部の位置は任意でもよい。
【００２０】
図１に示すように、細長袋体１２には、一方向Ｌに所定の間隔を空けて複数の通気孔４６、４７が貫通されている。通気孔４６、４７は、例えば、長もの野菜から出るガスや袋内の水蒸気等を逃がして通気させ、該野菜の鮮度を保持したり袋体の曇りを防止する。本実施形態では、図２に示すように、細長袋体１２の下部に設けられる通気孔４６は、谷折りして折り返した第１フィルム１８と第２フィルム２０との重畳部２６を貫通して設けられている。他の通気孔４７は、細長袋体の長手方向の約半分の位置に貫通して設けられている。通気孔４６、４７は、例えば、細長袋体の製造工程で、第１フィルム１８と第２フィルム２０とを重ね合わせた後であって、所定の２位置を平行直線状に溶断閉着する前、の間の工程で穿孔されて形成され、重なり合う第１、第２フィルムの同位置を貫通している。
【００２１】
次に本実施形態にかかる長もの野菜等袋１０の作用について説明する。例えば、図６に示すように、約１００枚程度の長もの野菜等袋１０を重ね合わせ、延長部４０の貫通孔４４内に図示しないはんだごてを当てて延長部４０どうしを熱溶着させて束ねておく。ごぼう等の長もの野菜Ｖｇを長もの野菜等袋１０に入れる場合には、図７（ａ）に示すように、束にした状態で長もの野菜等袋１０を延長部の貫通孔４４を介してフックＦｋ等に係止し、送風ファン等で上部に風を送ることにより上部開口１６を開放状態で保持させる。これにより、上部開口が開放状態で保持されるので簡単に長もの野菜を袋内に収容することができる。長もの野菜等袋１０の内部に長もの野菜Ｖｇを投入すると、図７（ｂ）に示すように、長もの野菜の重量により延長部４０のミシン目部４２から分断される。長もの野菜等袋を収容した長もの野菜等袋１０は、例えば、上部開口側の延長部４０の残部４０ｒを折り曲げてテープ等を貼り付けたり、上部開口側を紐やテープで縛りつけたりして封がされる。このような作業を繰り返して順次長もの野菜等を袋詰めしていく。出荷の最中又はスーパー等の店頭で陳列されている状態では、長もの野菜Ｖｇは長もの野菜等袋１０によって保護されるとともに、通気孔４６、４７を介して通気されて鮮度が保持される。
【００２２】
図８（ａ）（ｂ）（ｃ）に示すように、長もの野菜等袋１０から長もの野菜Ｖｇを取り出す際には、下部開口１４から第１フィルムの谷折りされた折り返し端部２４に手を掛けて折り返し片２８を下方に向けて引き破って開かせる。これにより、簡単な操作で確実に長もの野菜等袋の下端部を開放させて、長もの野菜を容易に取り出すことができる。なお、長もの野菜等を袋内への投入方向と同じ方向に取り出すので、該野菜等を傷付けにくくスムーズに取り出すことができる。本実施形態では、細長袋体の下部側を開封して取り出す構成ではあるが、袋の下部において上述のように、谷折り折り返しにより形成される第１フィルム１８と第２フィルム２０との重畳部２６が縦長長方形状となるように形成されていることからその重畳部２６でも高い強度を有する。その結果、長もの野菜等袋への投入作業や輸送中或いは店頭での陳列又は消費者が購入後に持ち帰る際等に、折り返し片が破れて袋の下部が不意に開封されたりするのを防止し、安定して包装状態を維持し内部の長もの野菜Ｖｇを良好に保護することができる。さらに、例えば、該重畳部２６の折り返し片に印刷等により開封位置を目立たせた表示２７を施すスペースを十分に確保することができるので、開封操作性を向上できる。
【００２３】
なお、図９は長もの野菜等袋１０の他の実施形態を示しており、図９に示すように、谷折り折り返しにより形成される第１フィルム１８と第２フィルム２０との重畳部２６は、正方形状となるように形成してもよい。また、延長部４０には、ミシン目部や貫通孔を設けなくてもよく、延長部自体を設けなくてもよい。また、細長袋体１２の下部側の通気孔４６は、上記実施形態のように第２フィルムとの重畳部２６の位置に限らず、重畳部２６の位置より下方側の谷折り折り返しによる第１フィルムどうし１８の重なり部分に設けてもよい。また、通気孔４６の幅方向Ｗの位置も、幅方向の略中央位置に限らず側辺に寄った位置でもよい。
【００２４】
以上説明した本考案の長もの野菜等袋は、上記した実施形態のみの構成に限定されるものではなく、実用新案登録請求の範囲に記載した本考案の本質を逸脱しない範囲において、任意の改変を行ってもよい。
【産業上の利用可能性】
【００２５】
本考案の長もの野菜等袋は、例えば、ねぎ、ごぼう、長いも、セロリ等その他の長もの野菜等を包装するのに好適に利用できる。
【符号の説明】
【００２６】
１０    長もの野菜等袋
１２    細長袋体
１４    下部開口
１６    上部開口
１８    第１フィルム
２０    第２フィルム
２２    折り返し部
２４    折り返し端部
２６    重畳部
４０    延長部
４２    ミシン目部
４４    貫通孔
４６    通気孔
【図１】
0003191508.tif 000003
【図２】
0003191508.tif 000004
【図３】
0003191508.tif 000005
【図４】
0003191508.tif 000006
【図５】
0003191508.tif 000007
【図６】
0003191508.tif 000008
【図７】
0003191508.tif 000009
【図８】
0003191508.tif 000010
【図９】
0003191508.tif 000011